(57)【要約】【課題】  壁面に向う外力が下カバーに加わっても、上カバーが下カバーから容易に離脱可能な状態にならない水栓カバーを提供する。【解決手段】  水栓カバーは、下カバーと上カバーとを備え、下カバーと上カバーとが形成する空間内に水栓本体を収容し、下カバーは壁面に固定され、上カバーは下カバーの上端開口部を覆って上方から下カバーに係止し、壁面へ向う外力が下カバーに加わった時に、下カバーと上カバーとの係止部が下カバー上端開口部の口開きに抵抗する。【選択図】  図４
2008175002.tif 000002
【特許請求の範囲】
【請求項１】
下カバーと上カバーとを備え、下カバーと上カバーとが形成する空間内に水栓本体を収容し、下カバーは壁面に固定され、上カバーは下カバーの上端開口部を覆って上方から下カバーに係止し、壁面へ向う外力が下カバーに加わった時に、下カバーと上カバーとの係止部が下カバー上端開口部の口開きに抵抗することを特徴とする水栓カバー。
【請求項２】
下カバーと上カバーとの係止部は、下カバーが有する爪と上カバーが有する爪とが、下カバー上端開口部が口開き変形する際に互いに押し付けられる態様で弾性係合することにより形成されることを特徴とする請求項１に記載の水栓カバー。
【請求項３】
互いに係合する下カバーの爪と上カバーの爪の何れか一方が、他方を受け入れる孔を形成することを特徴とする請求項２に記載の水栓カバー。
【請求項４】
互いに係合する下カバーの爪と上カバーの爪の何れか一方が、他方を受け入れる溝を形成することを特徴とする請求項２に記載の水栓カバー。
【請求項５】
水栓本体は円柱状の外形を有して壁面に平行に延在し、水栓本体の前面部は下カバーから前方へ突出し、上カバーは水栓本体の前面部を覆う断面が半円状の曲面部と、下カバーの上端開口部を覆う平面部とを有しており、下カバーと上カバーとの係止部は、壁面に近接した位置に対向して２箇所、壁面から離隔した位置に対向して２箇所設けられ、壁面に近接した位置に設けられた係止部は、上カバー又は下カバーの第１爪と当該第１爪を受け入れる孔を形成する下カバー又は上カバーの第１爪とが弾性係合することにより形成され、壁面から離隔した位置に設けられた係止部は、上カバー又は下カバーの第２爪と当該第２爪を受け入れる溝を形成する下カバー又は上カバーの第２爪とが弾性係合することにより形成され、弾性係合した爪と爪とは下カバー上端開口部が口開き変形する際に互いに押し付けられることを特徴とする請求項１に記載の水栓カバー。
【請求項６】
下カバー又は上カバーの第１爪が形成する孔の前後幅は、当該孔が受け入れる上カバー又は下カバーの第１爪の前後幅よりも広いことを特徴とする請求項５に記載の水栓カバー。し
【発明の詳細な説明】
【技術分野】
【０００１】
本発明は、水栓カバーに関するものである。
【背景技術】
【０００２】
図１、２に示すように、下カバー２１と上カバー２２とを備え、下カバー２１と上カバー２２とが形成する空間内に水栓本体１００を収容し、下カバー２１は浴室側壁面２００に固定され、上カバー２２は下カバー２１の上端開口部２１ａと水栓本体１００の前面部１００ａとを覆って上方から下カバー２１に係止する水栓カバーＢが、従来から浴室で使用されている。上カバー２２は、図１、２に白抜矢印で示すように、水栓本体１００へ接近させて水栓本体１００の前面部１００ａを覆い、次いで下カバー２１の上端開口部２１ａへ向けて下方へ回転させて、下カバー２１に係止させることにより、下カバー２１に連結される。従来の水栓カバーＢにおいては、図３に示すように、下カバー２１と上カバー２２との係止部は、下カバー２１に形成された凸部２１ｂ又は凹部２１ｃに、上カバー２２が有する爪２２ａに形成された凹部２２ｂ又は凸部２２ｃが弾性係合することにより形成されていた。
【発明の開示】
【発明が解決しようとする課題】
【０００３】
従来の水栓カバーＢには、下カバー２１に形成された凸部２１ｂ又は凹部２１ｃに、上カバー２２が有する爪２２ａに形成された凹部２２ｂ又は凸部２２ｃが弾性係合することにより形成された、下カバー２１と上カバー２２との係止部が、図１に一点鎖線で示す下カバー上端開口部２１ａの口開き変形に対して抵抗しないので、浴室側壁面２００に向う外力Ｆが下カバー２１に加わると、下カバー上端開口部２１ａが口開き変形して、下カバー２１と上カバー２２との係止状態が解除され、上カバー２２が下カバー２１から容易に離脱可能な状態になるという問題があった。
本発明は上記問題に鑑みてなされたものであり、壁面に向う外力が下カバーに加わっても、上カバーが下カバーから容易に離脱可能な状態にならない水栓カバーを提供することを目的とする。
【課題を解決するための手段】
【０００４】
上記課題を解決するために、本発明においては、下カバーと上カバーとを備え、下カバーと上カバーとが形成する空間内に水栓本体を収容し、下カバーは壁面に固定され、上カバーは下カバーの上端開口部を覆って上方から下カバーに係止し、壁面へ向う外力が下カバーに加わった時に、下カバーと上カバーとの係止部が下カバー上端開口部の口開きに抵抗することを特徴とする水栓カバーを提供する。
本発明に係る水栓カバーにおいては、壁面へ向う外力が下カバーに加わった時に、下カバーと上カバーとの係止部が下カバー上端開口部の口開きに抵抗するので、上カバーが下カバーに係止した状態は容易に解除されず、上カバーは下カバーから容易に離脱する状態にならない。
【０００５】
本発明の好ましい態様においては、下カバーと上カバーとの係止部は、下カバーが有する爪と上カバーが有する爪とが、下カバー上端開口部が口開き変形する際に互いに押し付けられる態様で弾性係合することにより形成される。
下カバー上端開口部が口開き変形をする際に下カバーの爪と上カバーの爪とが互いに押し付けられるように、前記爪を弾性係合させれば、弾性係合した爪が形成する係止部は、下カバー上端開口部の口開きに抵抗することになる。また上カバーの爪は下カバーの爪と弾性係合しているので、上方へ持ち上げる外力が上カバーに加わっても、上カバーは下カバーから容易に離脱しない。
【０００６】
本発明の好ましい態様においては、互いに係合する下カバーの爪と上カバーの爪の何れか一方が、他方を受け入れる孔を形成する。
本発明の好ましい態様においては、互いに係合する下カバーの爪と上カバーの爪の何れか一方が、他方を受け入れる溝を形成する。
一方の爪が形成する孔又は溝が他方の爪を受け入れた状態で下カバーの爪と上カバーの爪とを係合させることにより、両者の係合状態を、下カバー上端開口部が口開き変形をする際に下カバーの爪と上カバーの爪とが互いに押し付けられる態様での係合状態にすることができる。
【０００７】
本発明の好ましい態様においては、水栓本体は円柱状の外形を有して壁面に平行に延在し、水栓本体の前面部は下カバーから前方へ突出し、上カバーは水栓本体の前面部を覆う断面が半円状の曲面部と、下カバーの上端開口部を覆う平面部とを有しており、下カバーと上カバーとの係止部は、壁面に近接した位置に対向して２箇所、壁面から離隔した位置に対向して２箇所設けられ、壁面に近接した位置に設けられた係止部は、上カバー又は下カバーの第１爪と当該第１爪を受け入れる孔を形成する下カバー又は上カバーの第１爪とが弾性係合することにより形成され、壁面から離隔した位置に設けられた係止部は、上カバー又は下カバーの第２爪と当該第２爪を受け入れる溝を形成する下カバー又は上カバーの第２爪とが弾性係合することにより形成され、弾性係合した爪と爪とは下カバー上端開口部が口開き変形する際に互いに押し付けられる。
水栓本体が円柱状の外形を有して壁面に平行に延在し、水栓本体の前面部が下カバーから前方へ突出し、上カバーが水栓本体の前面部を覆う断面が半円状の曲面部と、下カバーの上端開口部を覆う平面部とを有している場合には、上カバーを下カバーに連結する際、平面部を下カバー上端開口部に対して斜め上方へ差し向けた状態で曲面部を水栓本体へ接近させて曲面部で水栓本体の前面部を覆い、次いで平面部を下カバー上端開口部へ向けて下方へ回転させて上カバーの爪を下カバーの爪に弾性係合させることになる。また、曲面部を水栓本体へ接近させる動作の終端部と平面部を下カバー上端開口部へ向けて下方へ回転させる動作の始端部とは重複して行うことになる。従って、壁面から離隔し水栓本体に近接した位置に設けられた係止部を形成する上カバーの第２爪は、下カバーの第２爪に対して前方と上方の二方向から接近して弾性係合し、壁面に近接し水栓本体から離隔した位置に設けられた係止部を形成する上カバーの第１爪は、下カバーの第１爪に対して上方から接近して弾性係合する。壁面から離隔した位置に設けられた係止部を、上カバーが有する第２爪と、当該第２爪を受け入れる前方へ開口した溝を形成する下カバーが有する第２爪とで形成し、或いは下カバーが有する第２爪と、当該第２爪を受け入れる後方へ開口した溝を形成する上カバーが有する第２爪とで形成すれば、前方と上方の二方向から下カバーの第２爪に接近する上カバーの第２爪を支障無く下カバーの第２爪に弾性係合させることができる。他方、壁面に近接し水栓本体から離隔した位置に設けられた係止部は、上カバーが有する第１爪と、当該第１爪を受け入れる孔を形成する下カバーが有する第１爪とで形成し、或いは下カバーが有する第１爪と、当該第１爪を受け入れる孔を形成する上カバーが有する第１爪とで形成しても、上方から下カバーの第１爪に接近する上カバーの第１爪を支障無く下カバーの第１爪に弾性係合させることができる。爪と当該爪を受け入れる孔を形成する爪とを弾性係合させて形成した係止部は、下カバー上端開口部の口開き変形に対して大きな抵抗となるので、上カバーの下カバーからの離脱防止に対する寄与が大きい。
【０００８】
本発明の好ましい態様においては、下カバー又は上カバーの第１爪が形成する孔の前後幅は、当該孔が受け入れる上カバー又は下カバーの第１爪の前後幅よりも広い。
壁面に近接し水栓本体から離隔した位置に設けられた係止部を形成する上カバーの第１爪は、下カバーの第１爪に対して上方から接近するが、上カバー平面部の回転に伴って僅かながら前方からも接近するので、何れか一方の第１爪が形成する孔の前後幅を、当該孔が受け入れる他方の第１爪の前後幅よりも広く形成して、前記孔が前記他方の第１爪を確実に受け入れることができるようにする必要がある。
【発明の効果】
【０００９】
本発明に係る水栓カバーにおいては、壁面へ向う外力が下カバーに加わった時に、下カバーと上カバーとの係止部が下カバー上端開口部の口開きに抵抗するので、上カバーが下カバーに係止した状態は容易に解除されず、上カバーは下カバーから容易に離脱する状態にならない。
【発明を実施するための最良の形態】
【００１０】
図４、５に示すように、水栓カバーＡは、下カバー１と上カバー２とを備えている。
下カバー１は、側面視で上下反転Ｌ形状の一対の側板１ａと、前板１ｂとを有している。前板１ｂは、両側板１ａの垂下部の前端の間で延在し、また両側板１ａの前方へ突出した上部の下端の間で延在している。従って下カバー１は溝型断面を有している。両側板１ａの前方へ突出した上部の前端１ａ’は、半円弧状に後方へ窪んでいる。側板１ａの下端後端から延びる固定爪１ｃが、浴室側壁面２００にネジ止めされることにより、下カバー１は、後方の浴室側壁面２００に固定されている。
両側板１ａの前方へ突出した上部の半円弧状に後方へ窪んだ前端１ａ’は、浴室側壁面２００に平行に延在する円柱状の外形を有する水栓本体１００の後面部を受け入れている。従って、水栓本体１００の前面部は、下カバー１から前方へ突出している。水栓本体１００の両端から操作ハンドル１００ｂ、１００ｃが突出している。両側板１ａの下端と前板１ｂの下端と浴室側壁面２００とが協働して形成する開口を介して、図示しない給水管と給湯管とが下方から下カバー１内へ延びている。給水管と給湯管とは水栓本体１００に接続している。
両側板１ａの上端に挟まれた開口が、下カバー１の上端開口部１ｄを形成している。
【００１１】
両側板１ａの前方へ突出した上部に、一対の第１下爪３と一対の第２下爪４とが形成されている。第１下爪３、第２下爪４は両側板１ａの向かい合う内面に配設されている。浴室側壁面２００に近接し水栓本体１００から離隔した位置に配設された第１下爪３は、図６に示すように、上下に延在し前後に幅広の長孔３ａを、側板１ａの内面と協働して形成している。
浴室側壁面２００から離隔し水栓本体１００に近接した位置に配設された第２下爪４は、図７に示すように、上下に延在し前方へ開放された溝４ａを、側板１ａの内面と協働して形成している。第２下爪４の口開き変形を抑制するために、補強部４ｂが溝４ａの底部に形成され、第２下爪４の基部を挟んで補強部４ｃの反対側に補強部４ｃが形成されている。
【００１２】
上カバー２は、水栓本体１００の前面部１００ａを覆う断面が半円状の曲面部２ａと、下カバー１の上端開口部１ｄを覆う平面部２ｂとを有している。平面部２ｂの両側部下面に、下方へ延びる一対の第１上爪５と一対の第２上爪６とが形成されている。図４〜６に示すように、第１上爪５は曲面部２ａから離隔した位置に配設され、図４、５、７に示すように、第２上爪６は曲面部２ａに近接した位置に配設されている。第１上爪５、第２上爪６の下端部に凸部５ａ、６ａが形成されている。第１上爪５の前後幅は第１下爪３が形成する長孔３ａの前後幅よりも小さな値に設定されている。
【００１３】
水栓カバーＡ、水栓本体１００、操作レバー３ａ、３ｂから成る水栓装置を浴室側壁面２００に取り付ける際には、先ず、浴室床面から浴室側壁面２００に沿って上方へ延びる図示しない給水管、給湯管の上端部を覆って下カバー２を浴室側壁面２００に固定する。浴室側壁面２００に平行に延在させた水栓本体１００の後面部を下カバー１ａの前方へ突出した上部の後方へ湾曲した前端１ａ’に当接させた状態で、水栓本体１００を給水管、給湯管に接続する。
水栓本体１００を給水管、給湯管に接続した後、上カバー２を下カバー１に連結する。この際、図４、５に示すように、平面部２ｂを下カバー上端開口部１ｄに対して側面視で斜め上方へ差し向け、図５に黒矢印で示すように、曲面部２ａを水栓本体１００へ接近させて曲面部２ａで水栓本体１００の前面部１００ａを覆い、次いで図４、５に白抜矢印で示すように、平面部２ｂを下カバー上端開口部１ｄへ向けて下方へ回転させて、平面部２ｂの両側部下面を下カバー１の前方へ突出した上部の上端に当接させる。
上カバー２の第１上爪５が下カバー１の第１下爪３が形成する長孔３ａに進入し、下端の凸部５ａが長孔３ａの下端部に達して、第１下爪３の下端部に弾性係合する。上カバー２の第２上爪６が下カバー１の第２下爪４が形成する溝４ａに進入し、下端の凸部６ａが溝４ａの下端部に到達して、第２下爪４の下端部に弾性係合する。この結果、上カバー２は下カバー１に係止される。下カバー１と上カバー２とが形成する空間内に水栓本体１００が収容される。第１上爪５が第１下爪３に弾性係合することにより、壁面２００に近接し水栓本体１００から離隔した位置に一対の係止部が形成され、第２上爪６が第２下爪４に弾性係合することにより、壁面２００から離隔し水栓本体１００に近接した位置に一対の係止部が形成される。
【００１４】
下カバー上端開口部１ｄが図４に一点鎖線で示すように口開き変形しようとすると、第１上爪５と第１下爪３とは互いに押し付けられ、第２上爪６と第２下爪４とは互いに押し付けられる。従って、第１上爪５が第１下爪３と弾性係合することにより形成された係止部と、第２上爪６が第２下爪４に弾性係合することにより形成された係止部とは、共に下カバー上端開口部１ｄの口開きに抵抗する。水栓カバーＡにおいては、浴室側壁面２００へ向う外力Ｆが、水栓本体１００を介して下カバー１に加わった時に、下カバー１と上カバー２との係止部が下カバー上端開口部１ｄの口開きに抵抗するので、上カバー２が下カバー１に係止した状態は容易に解除されず、上カバー２は下カバー１から容易に離脱する状態にならない。
上カバー２の第１上爪５、第２上爪６は下カバー１の第１下爪３、第２下４と弾性係合しているので、上方へ持ち上げる外力が上カバー２に加わっても、上カバー２は下カバー１から容易に離脱しない。
【００１５】
上カバー２を下カバー１に連結する際に、曲面部２ａを水栓本体１００へ接近させる動作の終端部と平面部２ｂを下カバー上端開口部１ｄへ向けて下方へ回転させる動作の始端部とは重複して行う。この結果、浴室側壁面２００から離隔し水栓本体１００に近接した位置に設けられた係止部を形成する上カバーの第２上爪６は、図７に白抜矢印で示すように、下カバーの第２下爪４に対して前方と上方の二方向から接近して弾性係合し、浴室側壁面２００に近接し水栓本体１００から離隔した位置に設けられた係止部を形成する上カバーの第１上爪５は、図６に白抜矢印で示すように、下カバーの第１下爪３に対して上方から接近して弾性係合する。
浴室側壁面２００から離隔した位置に設けられた係止部を、上カバー２の第２上爪６と、第２上爪６を受け入れる上下に延在し前方へ開口する溝４ａを形成する下カバー１の第２下爪４とで形成することにより、前方と上方の二方向から下カバー１の第２下爪４に接近する上カバー２の第２上爪６を、支障無く下カバー１の第２下爪４に弾性係合させることができる。
他方、浴室側壁面２００に近接した位置に設けられた係止部は、上カバー２の第１上爪５と、第１上爪５を受け入れる上下に延在する長孔３ａを形成する下カバー１の第１下爪３とで形成しても、上方から下カバー１の第１下爪３に接近する上カバー２の第１上爪５を、支障無く下カバー１の第１下爪３に弾性係合させることができる。爪と当該爪を受け入れる孔を形成する爪とを弾性係合させて形成した係止部は、爪と当該爪を受け入れる溝を形成する爪とを弾性係合させて形成した係止部に比べて、下カバー上端開口部１ｄの口開き変形に対してより大きな抵抗となるので、上カバー２の下カバー１からの離脱防止に対する寄与が大きい。
上カバー２の第１上爪５は、下カバー１の第１下爪３に対して上方から接近するが、図６から分かるように、上カバー平面部２ｂの回転に伴って僅かながら前方からも接近するので、第１下爪３が形成する長孔３ａの前後幅を、長孔３ａが受け入れる第１上爪５の前後幅よりも広く形成して、長孔３ａが第１上爪５を確実に受け入れることができるようにする必要がある。
【００１６】
上記実施例において、下カバー１の爪を単なる爪とし、上カバー２の爪を下カバー１の爪を受け入れる長穴が形成された爪と溝が形成された爪としても良い。この場合、下カバー１の爪は、溝を形成する上カバー２の爪に対して後方と下方の二方向から接近するので、溝は後方へ開口させる必要がある。
上記実施例において、第２下爪４、第２上爪６を省略しても良い。
上記実施例において、第１下爪３、第１上爪５に代えて第２下爪４、第２上爪６を配設しても良い。
第２下爪４に補強部４ｂ、４ｃを形成することにより、第２下爪４と第２上爪６とを弾性係合させて形成した係止部の、下カバー上端開口部１ｄの口開き変形に対する抵抗を増加させることができる。
上記実施例において、第２下爪４、第２上爪６を省略し、第１下爪３、第１上爪５に代えて第２下爪４、第２上爪６を配設しても良い。
上記実施例においては、上カバー２の曲面部２ａが水栓本体１００の前面部１００ａを覆うように水栓カバーＡを構成したが、下カバー１の前板１ｂの前端を延長して断面が半円状の曲面部を形成し、当該曲面部で水栓本体１００の前面部１００ａを覆っても良い。この場合、上カバー２は平面部２ｂのみで構成されることになる。平面部２ｂのみから成る上カバー２は、単純に上方から下カバー１に接近して係止されるので、第２下爪４に代えて第１下爪３を配設することができる。他方、第１下爪３に代えて第２下爪４を配設しても良い。
【図面の簡単な説明】
【００１７】
【図１】従来の水栓カバーの斜視図である。
【図２】従来の水栓カバーの側面図である。
【図３】従来の水栓カバーの、上カバーと下カバーとの係止部の断面図である。
【図４】本発明の実施例に係る水栓カバーの斜視図である。
【図５】本発明の実施例に係る水栓カバーの側面図である。
【図６】本発明の実施例に係る水栓カバーの、上カバーと下カバーとの係止部の構造図である。（ａ）は係止部の正面図であり、（ｂ）は（ａ）のｂ−ｂ矢視図であり、（ｃ）は（ａ）のｃ−ｃ矢視図である。
【図７】本発明の実施例に係る水栓カバーの、上カバーと下カバーとの係止部の構造図である。（ａ）は係止部の正面図であり、（ｂ）は（ａ）のｂ−ｂ矢視図であり、（ｃ）は（ａ）のｃ−ｃ矢視図である。
【符号の説明】
【００１８】
Ａ、Ｂ  水栓カバー
１、２１  下カバー
１ａ  側板
１ａ’  側板の前方へ突出した上部の前端
１ｂ  前板
２、２２  上カバー
２ａ  曲面部
２ｂ  平面部
３  第１下爪
４  第２下爪
５  第１上爪
６  第２上爪
２２ａ  爪
３ａ  長孔
４ａ  溝
４ｂ、４ｃ  補強部
５ａ、６ａ、２１ｂ、２２ｃ  凸部
２１ｃ、２２ｂ  凹部
１００  水栓本体
１００ａ  前面部
１００ｂ、１００ｃ  操作ハンドル
２００  浴室側壁面
【図１】
2008175002.tif 000003
【図２】
2008175002.tif 000004
【図３】
2008175002.tif 000005
【図４】
2008175002.tif 000006
【図５】
2008175002.tif 000007
【図６】
2008175002.tif 000008
【図７】
2008175002.tif 000009